(57)【要約】【課題】簡易な構成で、エコー音を複数の位置に定位させることのできる技術を提供する。【解決手段】エコー装置１のモノラルエコー生成部１３は、入力端子１１に入力された原音信号を遅延時間ｔ１だけ遅延させて第１エコー信号を出力する。マルチタップ遅延回路１４は、モノラルエコー生成部１３から出力される第１エコー信号を遅延時間ｔ２１，ｔ２２，…ｔ２ｎだけ遅延させて複数の第２エコー信号を出力する。遅延回路１６は、マルチタップ遅延回路１４から出力される複数の第２エコー信号をそれぞれ遅延時間ｔ３だけ遅延させて第３エコー信号を出力する。ゲイン調節器１７３Ｌ，１７３Ｒはそれぞれ、マルチタップ遅延回路１４から出力された第２エコー信号を増幅し、増幅した第２エコー信号をミキシング回路１８Ｌ，１８Ｒにそれぞれ出力する。このとき、ゲイン調節器１７３Ｌ，１７３Ｒはそれぞれ異なる増幅率で第２エコー信号を増幅する。【選択図】図１
2010028539.tif 000002
【特許請求の範囲】
【請求項１】
モノラルの原音信号が入力される入力端子と、
左チャンネル用の出力端子と、
右チャンネル用の出力端子と、
入力される信号をミキシングして前記左チャンネル用の出力端子に出力する左チャンネル用ミキシング手段と、
入力される信号をミキシングして前記右チャンネル用の出力端子に出力する右チャンネル用ミキシング手段と、
前記入力端子に入力された原音信号を増幅して前記左チャンネル用ミキシング手段及び前記右チャンネル用ミキシング手段のそれぞれに入力する原音信号増幅手段と、
前記入力端子に入力された原音信号を予め定められた第１の遅延時間だけ遅延させて第１のエコー信号を生成し、生成された第１のエコー信号を後段に出力すると共に、入力側に帰還する第１のエコー信号生成手段と、
前記第１のエコー信号生成手段によって生成された前記第１のエコー信号を増幅して前記左チャンネル用ミキシング手段及び前記右チャンネル用ミキシング手段のそれぞれに入力する第１のエコー信号増幅手段と、
前記第１のエコー信号生成手段によって生成された第１のエコー信号をそれぞれ異なる遅延時間ずつ遅延させた第２のエコー信号を複数生成する第２のエコー信号生成手段と、
前記第２のエコー信号生成手段によって生成された複数の第２のエコー信号をミキシングする第２のエコー信号ミキシング手段と、
前記第２のエコー信号ミキシング手段によってミキシングされた第２のエコー信号を、前記左チャンネル用ミキシング手段及び前記右チャンネル用ミキシング手段のそれぞれに対して、それぞれ異なる増幅率で増幅して入力する第２のエコー信号増幅手段と、
前記第２のエコー信号ミキシング手段によってミキシングされた第２のエコー信号を、前記第１の遅延時間よりも短い第３の遅延時間であって前記第２のエコー信号生成手段が設定した複数の遅延時間のうちの最長の遅延時間と該第３の遅延時間との和が前記第１の遅延時間よりも小さくなるような第３の遅延時間だけ遅延させて第３のエコー信号を生成する第３のエコー信号生成手段と、
前記第３のエコー信号生成手段によって生成された第３のエコー信号を、それぞれ異なる増幅率で増幅して前記左チャンネル用ミキシング手段及び前記右チャンネル用ミキシング手段にそれぞれ入力する第３のエコー信号増幅手段と
を具備することを特徴とするエコー信号出力装置。
【請求項２】
モノラルの原音信号が入力される入力端子と、
左チャンネル用の出力端子と、
右チャンネル用の出力端子と、
入力される信号をミキシングして前記左チャンネル用の出力端子に出力する左チャンネル用ミキシング手段と、
入力される信号をミキシングして前記右チャンネル用の出力端子に出力する右チャンネル用ミキシング手段と、
前記入力端子に入力された原音信号を増幅して前記左チャンネル用ミキシング手段及び前記右チャンネル用ミキシング手段のそれぞれに入力する原音信号増幅手段と、
前記入力端子に入力された原音信号を予め定められた第１の遅延時間だけ遅延させて第１のエコー信号を生成し、生成された第１のエコー信号を後段に出力すると共に、入力側に帰還する第１のエコー信号生成手段と、
前記第１のエコー信号生成手段によって生成された前記第１のエコー信号を増幅して前記左チャンネル用ミキシング手段及び前記右チャンネル用ミキシング手段のそれぞれに入力する第１のエコー信号増幅手段と、
前記第１のエコー信号生成手段によって生成された第１のエコー信号を、前記第１の遅延時間よりも短い遅延時間であってそれぞれ異なる遅延時間ずつ遅延させた第２のエコー信号を複数生成する第２のエコー信号生成手段と、
前記第２のエコー信号生成手段によって生成された複数の第２のエコー信号をミキシングする第２のエコー信号ミキシング手段と、
前記第２のエコー信号ミキシング手段によってミキシングされた第２のエコー信号を、前記左チャンネル用ミキシング手段及び前記右チャンネル用ミキシング手段のそれぞれに対して、それぞれ異なる増幅率で増幅して入力する第２のエコー信号増幅手段と、
前記第１のエコー信号生成手段によって生成された第１のエコー信号を、前記第１の遅延時間より短く、かつ、前記第２のエコー信号生成手段が設定した複数の遅延時間のうちの最長の遅延時間より長い第３の遅延時間だけ遅延させて第３のエコー信号を生成する第３のエコー信号生成手段と、
前記第３のエコー信号生成手段によって生成されたエコー信号を、それぞれ異なる増幅率で増幅して前記左チャンネル用ミキシング手段及び前記右チャンネル用ミキシング手段にそれぞれ入力する第３のエコー信号増幅手段と
を具備することを特徴とするエコー信号出力装置。
【請求項３】
モノラルの原音信号が入力される入力端子と、
左チャンネル用の出力端子と、
右チャンネル用の出力端子と、
入力される信号をミキシングして前記左チャンネル用の出力端子に出力する左チャンネル用ミキシング手段と、
入力される信号をミキシングして前記右チャンネル用の出力端子に出力する右チャンネル用ミキシング手段と、
前記入力端子に入力された原音信号を増幅して前記左チャンネル用ミキシング手段及び前記右チャンネル用ミキシング手段のそれぞれに入力する原音信号増幅手段と、
前記入力端子に入力された原音信号を予め定められた第１の遅延時間だけ遅延させて第１のエコー信号を生成し、生成された第１のエコー信号を後段に出力すると共に、入力側に帰還する第１のエコー信号生成手段と、
前記第１のエコー信号生成手段によって生成された前記第１のエコー信号を増幅して前記左チャンネル用ミキシング手段及び前記右チャンネル用ミキシング手段のそれぞれに入力する第１のエコー信号増幅手段と、
前記第１のエコー信号生成手段によって生成された第１のエコー信号を予め定められた第２の遅延時間だけ遅延させて第２のエコー信号を生成する第２のエコー信号生成手段と、
前記第２のエコー信号生成手段によって生成された第２のエコー信号を、それぞれ異なる増幅率で増幅して前記左チャンネル用ミキシング手段及び前記右チャンネル用ミキシング手段にそれぞれ入力する第２のエコー信号増幅手段と、
前記第２のエコー信号生成手段によって生成された第２のエコー信号を、それぞれ異なる複数の遅延時間であって該複数の遅延時間のうちの最長の遅延時間と前記第２の遅延時間との和が前記第１の遅延時間よりも小さくなるような複数の遅延時間ずつ遅延させて第３のエコー信号を複数生成する第３のエコー信号生成手段と、
前記第３のエコー信号生成手段によって生成された複数の第３のエコー信号をミキシングする第３のエコー信号ミキシング手段と、
前記第３のエコー信号ミキシング手段によってミキシングされた第３のエコー信号を、前記左チャンネル用ミキシング手段及び前記右チャンネル用ミキシング手段のそれぞれに対して、それぞれ異なる増幅率で増幅して入力する第３のエコー信号増幅手段と
を具備することを特徴とするエコー信号出力装置。
【請求項４】
モノラルの原音信号が入力される入力端子と、
左チャンネル用の出力端子と、
右チャンネル用の出力端子と、
入力される信号をミキシングして前記左チャンネル用の出力端子に出力する左チャンネル用ミキシング手段と、
入力される信号をミキシングして前記右チャンネル用の出力端子に出力する右チャンネル用ミキシング手段と、
前記入力端子に入力された原音信号を増幅して前記左チャンネル用ミキシング手段及び前記右チャンネル用ミキシング手段のそれぞれに入力する原音信号増幅手段と、
前記入力端子に入力された原音信号をそれぞれ異なる複数の第１の遅延時間だけ遅延させて第１のエコー信号を複数生成し、生成された複数の第１のエコー信号を後段に出力すると共に、入力側に帰還する第１のエコー信号生成手段と、
前記第１のエコー信号生成手段によって生成された複数の第１のエコー信号をミキシングする第１のエコー信号ミキシング手段と、
前記第１のエコー信号ミキシング手段によってミキシングされた前記第１のエコー信号を増幅して前記左チャンネル用ミキシング手段及び前記右チャンネル用ミキシング手段のそれぞれに入力する第１のエコー信号増幅手段と、
前記第１のエコー信号ミキシング手段によってミキシングされた第１のエコー信号を予め定められた第２の遅延時間だけ遅延させて第２のエコー信号を生成する第２のエコー信号生成手段と、
前記第２のエコー信号生成手段によって生成された第２のエコー信号を、それぞれ異なる増幅率で増幅して前記左チャンネル用ミキシング手段及び前記右チャンネル用ミキシング手段にそれぞれ入力する第２のエコー信号増幅手段と、
前記第２のエコー信号生成手段によって生成された第２のエコー信号を、前記第２の遅延時間との和が前記複数の第１の遅延時間のうちの最長の遅延時間よりも小さくなるような第３の遅延時間だけ遅延させて第３のエコー信号を生成する第３のエコー信号生成手段と、
前記第３のエコー信号生成手段によって生成された第３のエコー信号を、それぞれ異なる増幅率で増幅して前記左チャンネル用ミキシング手段及び前記右チャンネル用ミキシング手段にそれぞれ入力する第３のエコー信号増幅手段と
を具備することを特徴とするエコー信号出力装置。
【請求項５】
前記第１のエコー信号、前記第２のエコー信号及び前記第３のエコー信号のそれぞれの音像が異なる位置に定位するように、前記第１のエコー信号増幅手段、前記第２のエコー信号増幅手段及び前記第３のエコー信号増幅手段の増幅率を設定する制御手段
を具備することを特徴とする請求項１乃至４のいずれか１項に記載のエコー信号出力装置。
【請求項６】
利用者によって操作される操作子から出力される信号を検出する信号検出手段
を具備し、
前記制御手段は、前記信号検出手段によって検出された信号に応じて前記第１のエコー信号増幅手段、前記第２のエコー信号増幅手段及び前記第３のエコー信号増幅手段の増幅率を設定する
ことを特徴とする請求項５に記載のエコー信号出力装置。
【請求項７】
前記制御手段は、前記第１のエコー信号、前記第２のエコー信号及び前記第３のエコー信号の少なくともいずれかひとつの音像の定位位置が時間の経過に伴って変化するように、前記増幅率を時間の経過に伴って変更する
ことを特徴とする請求項５又は６に記載のエコー信号出力装置。
【請求項８】
前記第３のエコー信号生成手段によって生成された第３のエコー信号を前記第２のエコー信号生成手段に入力するフィードバック手段
を具備することを特徴とする請求項１乃至７のいずれか１項に記載のエコー信号出力装置。
【請求項９】
前記入力端子に入力される原音信号に対応する制御信号を取得する制御信号取得手段と、
前記制御信号取得手段によって取得された制御信号に応じて、前記第１のエコー信号生成手段、前記第２のエコー信号生成手段及び前記第３のエコー信号生成手段の少なくともいずれかひとつの遅延時間を設定する遅延時間設定手段と
を具備することを特徴とする請求項１乃至８のいずれか１項に記載のエコー信号出力装置。
【請求項１０】
前記第２のエコー信号増幅手段は、前記第２のエコー信号の音像が左チャンネル側に定位するように前記第２のエコー信号を増幅して前記左チャンネル用ミキシング手段及び前記右チャンネル用ミキシング手段にそれぞれ入力し、
前記第３のエコー信号増幅手段は、前記第３のエコー信号の音像が右チャンネル側に定位するように前記第３のエコー信号を増幅して前記左チャンネル用ミキシング手段及び前記右チャンネル用ミキシング手段にそれぞれ入力する
ことを特徴とする請求項１乃至４のいずれか１項に記載のエコー信号出力装置。
【発明の詳細な説明】
【技術分野】
【０００１】
本発明は、エコー信号を生成する技術に関する。
【背景技術】
【０００２】
電子楽器や音声再生装置においては、エコーやリバーブ等の音響効果を付与する機能を有するものがある。このような効果により、聴取者は、あたかも演奏会場等で演奏されているかのような臨場感を得ることができる。リバーブ効果を付与する装置として、例えば特許文献１には、モノラルの原音信号に残響音信号を付加した後に複数の遅延回路により異なる遅延量で遅延させて、その遅延させた信号と遅延させていない信号とを互いに加算することによりステレオ信号をつくる装置が提案されている。特許文献１に記載の装置によれば、音像定位は、遅延させていない信号と遅延させて時間的に分離した複数の信号とにより時間の経過とともに変化するため、音の拡がりが多様に変化する音響効果を演出することができる。
【０００３】
ところで、従来の装置においては、原音信号にエコー効果を付与する場合には、モノラルエコーとステレオエコーとの２種類の方法のいずれかが用いられているのが一般的である。モノラルエコーにおいては、遅延回路の出力を最終出力とし、入力信号と最終出力とを所定の比率で加算したものを遅延回路の入力とし、ＬとＲは同じ信号を出力するようにしている。この場合、遅延時間毎に発生するエコー成分はモノラルでセンター定位する。一方、ステレオエコーにおいては、遅延回路の出力（出力１）をステレオ出力の一方へ、出力１を遅延した出力（出力２）をステレオ出力のもう一方へ出力するようになっている。この場合、入力信号と出力２とを所定の比率で加算したものを出力１用の遅延回路の入力としている。この場合、遅延時間毎に発生するエコー成分は、ステレオで完全にどちらかのスピーカへ定位する。
【特許文献１】特開平０６−１１８９８０号公報
【発明の開示】
【発明が解決しようとする課題】
【０００４】
従来の装置においてエコー効果を付与する場合には、上述したように、モノラルエコーの場合にはエコーがセンターにしか定位しない。また、ステレオエコーの場合にはスピーカの前にしか定位しない。このように従来の装置ではエコー音の定位位置が一定でありエコー音に拡がりをもたせることができなかった。
本発明は上述した事情に鑑みてなされたものであり、簡易な構成で、エコー音を複数の位置に定位させることのできる技術を提供することを目的とする。
【課題を解決するための手段】
【０００５】
上記課題を解決するため、本発明は、モノラルの原音信号が入力される入力端子と、左チャンネル用の出力端子と、右チャンネル用の出力端子と、入力される信号をミキシングして前記左チャンネル用の出力端子に出力する左チャンネル用ミキシング手段と、入力される信号をミキシングして前記右チャンネル用の出力端子に出力する右チャンネル用ミキシング手段と、前記入力端子に入力された原音信号を増幅して前記左チャンネル用ミキシング手段及び前記右チャンネル用ミキシング手段のそれぞれに入力する原音信号増幅手段と、前記入力端子に入力された原音信号を予め定められた第１の遅延時間だけ遅延させて第１のエコー信号を生成し、生成された第１のエコー信号を後段に出力すると共に、入力側に帰還する第１のエコー信号生成手段と、前記第１のエコー信号生成手段によって生成された前記第１のエコー信号を増幅して前記左チャンネル用ミキシング手段及び前記右チャンネル用ミキシング手段のそれぞれに入力する第１のエコー信号増幅手段と、前記第１のエコー信号生成手段によって生成された第１のエコー信号をそれぞれ異なる遅延時間ずつ遅延させた第２のエコー信号を複数生成する第２のエコー信号生成手段と、前記第２のエコー信号生成手段によって生成された複数の第２のエコー信号をミキシングする第２のエコー信号ミキシング手段と、前記第２のエコー信号ミキシング手段によってミキシングされた第２のエコー信号を、前記左チャンネル用ミキシング手段及び前記右チャンネル用ミキシング手段のそれぞれに対して、それぞれ異なる増幅率で増幅して入力する第２のエコー信号増幅手段と、前記第２のエコー信号ミキシング手段によってミキシングされた第２のエコー信号を、前記第１の遅延時間よりも短い第３の遅延時間であって前記第２のエコー信号生成手段が設定した複数の遅延時間のうちの最長の遅延時間と該第３の遅延時間との和が前記第１の遅延時間よりも小さくなるような第３の遅延時間だけ遅延させて第３のエコー信号を生成する第３のエコー信号生成手段と、前記第３のエコー信号生成手段によって生成された第３のエコー信号を、それぞれ異なる増幅率で増幅して前記左チャンネル用ミキシング手段及び前記右チャンネル用ミキシング手段にそれぞれ入力する第３のエコー信号増幅手段とを具備することを特徴とするエコー信号出力装置を提供する。
【０００６】
また、本発明は、モノラルの原音信号が入力される入力端子と、左チャンネル用の出力端子と、右チャンネル用の出力端子と、入力される信号をミキシングして前記左チャンネル用の出力端子に出力する左チャンネル用ミキシング手段と、入力される信号をミキシングして前記右チャンネル用の出力端子に出力する右チャンネル用ミキシング手段と、前記入力端子に入力された原音信号を増幅して前記左チャンネル用ミキシング手段及び前記右チャンネル用ミキシング手段のそれぞれに入力する原音信号増幅手段と、前記入力端子に入力された原音信号を予め定められた第１の遅延時間だけ遅延させて第１のエコー信号を生成し、生成された第１のエコー信号を後段に出力すると共に、入力側に帰還する第１のエコー信号生成手段と、前記第１のエコー信号生成手段によって生成された前記第１のエコー信号を増幅して前記左チャンネル用ミキシング手段及び前記右チャンネル用ミキシング手段のそれぞれに入力する第１のエコー信号増幅手段と、前記第１のエコー信号生成手段によって生成された第１のエコー信号を、前記第１の遅延時間よりも短い遅延時間であってそれぞれ異なる遅延時間ずつ遅延させた第２のエコー信号を複数生成する第２のエコー信号生成手段と、前記第２のエコー信号生成手段によって生成された複数の第２のエコー信号をミキシングする第２のエコー信号ミキシング手段と、前記第２のエコー信号ミキシング手段によってミキシングされた第２のエコー信号を、前記左チャンネル用ミキシング手段及び前記右チャンネル用ミキシング手段のそれぞれに対して、それぞれ異なる増幅率で増幅して入力する第２のエコー信号増幅手段と、前記第１のエコー信号生成手段によって生成された第１のエコー信号を、前記第１の遅延時間より短く、かつ、前記第２のエコー信号生成手段が設定した複数の遅延時間のうちの最長の遅延時間より長い第３の遅延時間だけ遅延させて第３のエコー信号を生成する第３のエコー信号生成手段と、前記第３のエコー信号生成手段によって生成されたエコー信号を、それぞれ異なる増幅率で増幅して前記左チャンネル用ミキシング手段及び前記右チャンネル用ミキシング手段にそれぞれ入力する第３のエコー信号増幅手段とを具備することを特徴とするエコー信号出力装置を提供する。
【０００７】
また、本発明は、モノラルの原音信号が入力される入力端子と、左チャンネル用の出力端子と、右チャンネル用の出力端子と、入力される信号をミキシングして前記左チャンネル用の出力端子に出力する左チャンネル用ミキシング手段と、入力される信号をミキシングして前記右チャンネル用の出力端子に出力する右チャンネル用ミキシング手段と、前記入力端子に入力された原音信号を増幅して前記左チャンネル用ミキシング手段及び前記右チャンネル用ミキシング手段のそれぞれに入力する原音信号増幅手段と、前記入力端子に入力された原音信号を予め定められた第１の遅延時間だけ遅延させて第１のエコー信号を生成し、生成された第１のエコー信号を後段に出力すると共に、入力側に帰還する第１のエコー信号生成手段と、前記第１のエコー信号生成手段によって生成された前記第１のエコー信号を増幅して前記左チャンネル用ミキシング手段及び前記右チャンネル用ミキシング手段のそれぞれに入力する第１のエコー信号増幅手段と、前記第１のエコー信号生成手段によって生成された第１のエコー信号を予め定められた第２の遅延時間だけ遅延させて第２のエコー信号を生成する第２のエコー信号生成手段と、前記第２のエコー信号生成手段によって生成された第２のエコー信号を、それぞれ異なる増幅率で増幅して前記左チャンネル用ミキシング手段及び前記右チャンネル用ミキシング手段にそれぞれ入力する第２のエコー信号増幅手段と、前記第２のエコー信号生成手段によって生成された第２のエコー信号を、それぞれ異なる複数の遅延時間であって該複数の遅延時間のうちの最長の遅延時間と前記第２の遅延時間との和が前記第１の遅延時間よりも小さくなるような複数の遅延時間ずつ遅延させて第３のエコー信号を複数生成する第３のエコー信号生成手段と、前記第３のエコー信号生成手段によって生成された複数の第３のエコー信号をミキシングする第３のエコー信号ミキシング手段と、前記第３のエコー信号ミキシング手段によってミキシングされた第３のエコー信号を、前記左チャンネル用ミキシング手段及び前記右チャンネル用ミキシング手段のそれぞれに対して、それぞれ異なる増幅率で増幅して入力する第３のエコー信号増幅手段とを具備することを特徴とするエコー信号出力装置を提供する。
【０００８】
また、本発明は、モノラルの原音信号が入力される入力端子と、左チャンネル用の出力端子と、右チャンネル用の出力端子と、入力される信号をミキシングして前記左チャンネル用の出力端子に出力する左チャンネル用ミキシング手段と、入力される信号をミキシングして前記右チャンネル用の出力端子に出力する右チャンネル用ミキシング手段と、前記入力端子に入力された原音信号を増幅して前記左チャンネル用ミキシング手段及び前記右チャンネル用ミキシング手段のそれぞれに入力する原音信号増幅手段と、前記入力端子に入力された原音信号をそれぞれ異なる複数の第１の遅延時間だけ遅延させて第１のエコー信号を複数生成し、生成された複数の第１のエコー信号を後段に出力すると共に、入力側に帰還する第１のエコー信号生成手段と、前記第１のエコー信号生成手段によって生成された複数の第１のエコー信号をミキシングする第１のエコー信号ミキシング手段と、前記第１のエコー信号ミキシング手段によってミキシングされた前記第１のエコー信号を増幅して前記左チャンネル用ミキシング手段及び前記右チャンネル用ミキシング手段のそれぞれに入力する第１のエコー信号増幅手段と、前記第１のエコー信号ミキシング手段によってミキシングされた第１のエコー信号を予め定められた第２の遅延時間だけ遅延させて第２のエコー信号を生成する第２のエコー信号生成手段と、前記第２のエコー信号生成手段によって生成された第２のエコー信号を、それぞれ異なる増幅率で増幅して前記左チャンネル用ミキシング手段及び前記右チャンネル用ミキシング手段にそれぞれ入力する第２のエコー信号増幅手段と、前記第２のエコー信号生成手段によって生成された第２のエコー信号を、前記第２の遅延時間との和が前記複数の第１の遅延時間のうちの最長の遅延時間よりも小さくなるような第３の遅延時間だけ遅延させて第３のエコー信号を生成する第３のエコー信号生成手段と、前記第３のエコー信号生成手段によって生成された第３のエコー信号を、それぞれ異なる増幅率で増幅して前記左チャンネル用ミキシング手段及び前記右チャンネル用ミキシング手段にそれぞれ入力する第３のエコー信号増幅手段とを具備することを特徴とするエコー信号出力装置を提供する。
【０００９】
本発明の好ましい態様において、前記第１のエコー信号、前記第２のエコー信号及び前記第３のエコー信号のそれぞれの音像が異なる位置に定位するように、前記第１のエコー信号増幅手段、前記第２のエコー信号増幅手段及び前記第３のエコー信号増幅手段の増幅率を設定する制御手段を具備してもよい。
【００１０】
また、本発明の更に好ましい態様において、利用者によって操作される操作子から出力される信号を検出する信号検出手段を具備し、前記制御手段は、前記信号検出手段によって検出された信号に応じて前記第１のエコー信号増幅手段、前記第２のエコー信号増幅手段及び前記第３のエコー信号増幅手段の増幅率を設定してもよい。
【００１１】
また、本発明の更に好ましい態様において、前記制御手段は、前記第１のエコー信号、前記第２のエコー信号及び前記第３のエコー信号の少なくともいずれかひとつの音像の定位位置が時間の経過に伴って変化するように、前記増幅率を時間の経過に伴って変更してもよい。
【００１２】
また、本発明の更に好ましい態様において、前記第３のエコー信号生成手段によって生成された第３のエコー信号を前記第２のエコー信号生成手段に入力するフィードバック手段を具備してもよい。
【００１３】
また、本発明の更に好ましい態様において、前記入力端子に入力される原音信号に対応する制御信号を取得する制御信号取得手段と、前記制御信号取得手段によって取得された制御信号に応じて、前記第１のエコー信号生成手段、前記第２のエコー信号生成手段及び前記第３のエコー信号生成手段の少なくともいずれかひとつの遅延時間を設定する遅延時間設定手段を具備してもよい。
【００１４】
また、本発明の好ましい態様において、前記第２のエコー信号増幅手段は、前記第２のエコー信号の音像が左チャンネル側に定位するように前記第２のエコー信号を増幅して前記左チャンネル用ミキシング手段及び前記右チャンネル用ミキシング手段にそれぞれ入力し、前記第３のエコー信号増幅手段は、前記第３のエコー信号の音像が右チャンネル側に定位するように前記第３のエコー信号を増幅して前記左チャンネル用ミキシング手段及び前記右チャンネル用ミキシング手段にそれぞれ入力してもよい。
【発明の効果】
【００１５】
本発明によれば、簡易な構成で、エコー音を複数の位置に定位させることができる。
【発明を実施するための最良の形態】
【００１６】
以下、図面を参照して、この発明の実施形態について説明する。
＜Ａ：第１実施形態＞
＜Ａ−１：構成＞
図１は、この発明の一実施形態であるエコー装置１の構成を示す図である。このエコー装置１は、入力されるモノラルの原音信号にエコー成分を付与して出力する装置である。図において、入力端子１１には、モノラルの原音信号が入力される。出力端子１２Ｌは左チャンネル用の音声信号が出力される出力端子であり、出力端子１２Ｒは右チャンネル用の音声信号が出力される出力端子である。出力端子１２Ｌ，１２Ｒは、図示しない演算回路、Ｄ／Ａ変換部、及びオーディオアンプを介してスピーカにそれぞれ接続されている。
【００１７】
モノラルエコー生成部１３は、入力端子１１に入力された原音信号を予め定められた遅延時間ｔ１ずつ遅延させてエコー信号を生成し、生成したエコー信号を後段に出力すると共に、入力側に帰還する。モノラルエコー生成部１３は、入力された信号を遅延時間ｔ１だけ遅延させる遅延回路を有しており、入力された信号を遅延時間ｔ１だけ遅延させて出力し、その信号を更に遅延時間ｔ１だけ遅延させて出力する処理を繰り返し行う。このように、モノラルエコー生成部１３からは、遅延時間ｔ１ずつ遅延したエコー信号が重畳された信号が出力される。以下の説明では、説明の便宜上、モノラルエコー生成部１３から出力されるエコー信号を「第１エコー信号」と称して説明する。
【００１８】
マルチタップ遅延回路１４は、モノラルエコー生成部１３から出力された第１エコー信号を、それぞれ異なる遅延時間ずつ遅延させたエコー信号（以下「第２エコー信号」という）を複数出力する。マルチタップ遅延回路１４は、入力された信号を遅延時間ｔ２１，ｔ２２，…，ｔ２ｎ（ｎは２以上の自然数）だけそれぞれ遅延させる複数の遅延回路を有しており、それぞれの遅延回路において入力された信号を遅延時間ｔ２１，ｔ２２，…，ｔ２ｎだけそれぞれ遅延させて出力する。このように、マルチタップ遅延回路１４からは、遅延時間ｔ２１，ｔ２２，…，ｔ２ｎずつ遅延したエコー信号が出力される。マルチタップ遅延回路１４が遅延させる遅延時間ｔ２１，ｔ２２，…，ｔ２ｎは、遅延時間ｔ１よりも短い遅延時間となるように予め設定されている。ゲイン調節器１４１，１４２，…，１４ｎはそれぞれ、マルチタップ遅延回路１４から出力される複数の第１のエコー信号のゲインを調節し、ミキシング回路１５に出力する。ミキシング回路１５は、ゲイン調節器１４１，１４２，…，１４ｎから出力される複数の第２エコー信号をミキシングし、ミキシングした第２エコー信号をゲイン調節器１７３Ｌ、１７３Ｒ及び遅延回路１６に出力する。
【００１９】
遅延回路１６は、ミキシング回路１５から出力される第２エコー信号を、遅延時間ｔ２１，ｔ２２，…，ｔ２ｎのうちの最長の遅延時間（以下「遅延時間ｔ２ｍａｘ」という）と最短の遅延時間（以下「遅延時間ｔ２ｍｉｎ」という）との差分時間Δｔよりも長い遅延時間ｔ３だけ遅延させてエコー信号（以下「第３エコー信号」という）を出力する。
【００２０】
また、遅延時間ｔ３は、遅延時間ｔ２ｍａｘとこの遅延時間ｔ３との和が遅延時間ｔ１よりも小さくなるように予め設定されている。すなわち、遅延時間ｔ１，遅延時間ｔ２ｍａｘ，遅延時間ｔ３は以下の（１）式の関係を満たすように予め設定されている。
ｔ１  ＞  ｔ２ｍａｘ  ＋  ｔ３  …（１）
【００２１】
ゲイン調整器１７１Ｌ，１７１Ｒはそれぞれ、入力端子１１に入力された原音信号を増幅し、増幅した原音信号をミキシング回路１８Ｌ，１８Ｒにそれぞれ出力する。ゲイン調整器１７２Ｌ，１７２Ｒはそれぞれ、モノラルエコー生成部１３から出力される第１エコー信号を増幅し、増幅した第１エコー信号をミキシング回路１８Ｌ，１８Ｒにそれぞれ出力する。ここでは、ゲイン調整器１７２Ｌ，１７２Ｒは等しい増幅率で第１エコー信号を増幅する。そのため、第１エコー信号の表すエコー音の音像は中央位置に定位する。
【００２２】
ゲイン調節器１７３Ｌ，１７３Ｒはそれぞれ、マルチタップ遅延回路１４から出力される第２エコー信号を増幅し、増幅した第２エコー信号をミキシング回路１８Ｌ，１８Ｒにそれぞれ出力する。このとき、ゲイン調節器１７３Ｌ，１７３Ｒはそれぞれ異なる増幅率で第２エコー信号を増幅する。これにより、第２エコー信号の音像は、第１エコー信号とは異なる位置に定位する。ここでは、ゲイン調節器１７３Ｌ，１７３Ｒは、第２エコー信号の音像が左チャンネル側に定位するように、それぞれ異なる増幅率で第２エコー信号を増幅する。
【００２３】
ゲイン調節器１７４Ｌ，１７４Ｒはそれぞれ、遅延回路１６から出力される第３エコー信号を増幅し、増幅した第３エコー信号をミキシング回路１８Ｌ，１８Ｒにそれぞれ出力する。このとき、ゲイン調節器１７４Ｌ，１７４Ｒはそれぞれ、遅延回路１６から出力される第３エコー信号をそれぞれ異なる増幅率で増幅する。これにより、第３エコー信号は、第１エコー信号と異なる位置に定位される。ここでは、ゲイン調節器１７４Ｌ，１７４Ｒは、第３エコー信号の音像が右チャンネル側に定位するように、それぞれ異なる増幅率で第３エコー信号を増幅する。
【００２４】
ミキシング回路１８Ｌは、入力される音声信号をミキシングして左チャンネル用の出力端子１２Ｌに出力する。ここでは、ミキシング回路１８Ｌは、ゲイン調節器１７１Ｌから出力される原音信号、ゲイン調節器１７２Ｌから出力される第１エコー信号、ゲイン調節器１７３Ｌから出力される第２エコー信号及びゲイン調節器１７４Ｌから出力される第３エコー信号をミキシングし、出力端子１２Ｌへ出力する。これにより、出力端子１２Ｌに接続された左チャンネル用のスピーカからは、ミキシング回路１８Ｌでミキシングされた音声信号の表す音が出力される。
【００２５】
ミキシング回路１８Ｒは、入力される音声信号をミキシングして右チャンネル用の出力端子１２Ｒに出力する。ここでは、ミキシング回路１８Ｒは、ゲイン調節器１７１Ｒから出力される原音信号、ゲイン調節器１７２Ｒから出力される第１エコー信号、ゲイン調節器１７３Ｒから出力される第２エコー信号及びゲイン調節器１７４Ｒから出力される第３エコー信号をミキシングし、出力端子１２Ｒへ出力する。これにより、出力端子１２Ｒに接続された右チャンネル用のスピーカからは、ミキシング回路１８Ｒでミキシングされた音声信号の表す音が出力される。
【００２６】
ここで、エコー装置１から出力されるエコー信号の時間的な対応関係について図面を参照しつつ説明する。図２は、エコー装置１から出力されるエコー信号の時間的な対応関係の一例を示す図である。図２に示す例では、説明の容易のため、入力信号としてインパルス信号が入力された場合の例について示している。図２において、横軸は時刻を示し、縦軸は出力レベルを示す。図において、原音信号Ｓ１は、ゲイン調節器１７１Ｌ，１７２Ｒでそれぞれ増幅されて出力端子１２Ｌ，１２Ｒへそれぞれ出力され、出力端子１２Ｌ，１２Ｒのそれぞれに接続されたスピーカから音として出力される。原音信号Ｓ１はモノラルエコー生成部１３によって遅延時間ｔ１ずつ遅延されて第１エコー信号Ｅ１１，Ｅ１２，Ｅ１３，…として出力される。図２に示すように、原音信号Ｓ１が出力されてから遅延時間ｔ１が経過した後に第１エコー信号Ｅ１１が出力され、第１エコー信号Ｅ１１が出力されてから更に遅延時間ｔ１が経過した後に第１エコー信号Ｅ１２が出力され、…といったように、遅延時間ｔ１が経過する毎に第１エコー信号が出力される。
【００２７】
モノラルエコー生成部１３から出力された第１エコー信号Ｅ１１は、マルチタップ遅延回路１４によって遅延時間ｔ２１，ｔ２２，…，ｔ２ｎだけ遅延されて第２エコー信号Ｅ２１１，Ｅ２１２，…Ｅ２１ｎとして出力される。同様に、モノラルエコー生成部１３から出力された第１エコー信号Ｅ１２は、マルチタップ遅延回路１４によって遅延時間ｔ２１，ｔ２２，…，ｔ２ｎだけ遅延されて第２エコー信号Ｅ２２１，Ｅ２２２，Ｅ２２ｎとして出力される。
【００２８】
更に、第２エコー信号のそれぞれは、遅延回路１６によって遅延時間ｔ３だけ遅延されて第３エコー信号として出力される。図２に示す例では、マルチタップ遅延回路１４から出力された第２エコー信号Ｅ２１１，Ｅ２１２，…，Ｅ２１ｎはそれぞれ、遅延回路１６によって遅延時間ｔ３だけ遅延されて第３エコー信号Ｅ３１１，Ｅ３１２，…，Ｅ３１ｎとして出力される。同様に、第２エコー信号Ｅ２２１，Ｅ２２２，…，E２２ｎもそれぞれ遅延時間ｔ３だけ遅延されて第３エコー信号Ｅ３２１，Ｅ３２２，Ｅ３２３，…，Ｅ３２ｎとして出力される。
【００２９】
図２に示すように、本実施形態では、遅延時間ｔ２ｍａｘと遅延時間ｔ３との和が遅延時間ｔ１よりも小さくなるように予め設定されているから、エコー装置１からは、第１エコー信号、第２エコー信号及び第３エコー信号がそれぞれ異なったタイミングで出力され、それらが重なって出力されることがない。これにより、エコー音の定位感を安定させることができる。また、第１エコー信号が出力される合間で第２エコー信号と第３エコー信号が出力されるから、出力されるエコー音の稠密度をほぼ一定に保つことができ、エコー音の稠密度にばらつきが生じることがない。
【００３０】
また、本実施形態では、図２に示すように、遅延時間ｔ３が差分時間Δｔよりも大きくなるように予め設定されている。そのため、エコー装置１からは、第２エコー信号と第３エコー信号とがそれぞれ異なったタイミングで出力され、それらが重なって出力されることがない。これにより、エコー音の定位感を安定させることができる。また、出力されるエコー音の稠密度をほぼ一定に保つことができ、エコー音の稠密度にばらつきが生じることがない。
【００３１】
＜Ａ−２：動作＞
次に、この実施形態の動作について説明する。入力端子１１にモノラルの原音信号が入力されると、入力された原音信号は、モノラルエコー生成部１３、ゲイン調節器１７１Ｌ，１７１Ｒにそれぞれ入力される。モノラルエコー生成部１３では、入力された原音信号が遅延時間ｔ１ずつ遅延され、第１エコー信号として出力される。モノラルエコー生成部１３から出力される第１エコー信号は、ゲイン調節器１７２Ｌ，１７２Ｒにそれぞれ出力されるとともに、マルチタップ遅延回路１４に出力される。
【００３２】
マルチタップ遅延回路１４では、モノラルエコー生成部１３から出力された第１エコー信号が遅延時間ｔ２１，ｔ２２，…ｔ２ｎだけ遅延され、第２エコー信号として出力される。マルチタップ遅延回路１４から出力される第２エコー信号は、ゲイン調節器１７３Ｌ，１７３Ｒにそれぞれ出力されるとともに、遅延回路１６に出力される。遅延回路１６では、マルチタップ遅延回路１４から出力された第２エコー信号が遅延時間ｔ３だけ遅延され、第３エコー信号として出力される。遅延回路１６から出力される第３エコー信号は、ゲイン調節器１７４Ｌ，１７４Ｒにそれぞれ出力される。
【００３３】
ゲイン調節器１７１Ｌ、１７２Ｌ、１７３Ｌ及び１７４Ｌではそれぞれ、入力される音声信号が増幅されてミキシング回路１８Ｌに出力される。ミキシング回路１８Ｌでは、ゲイン調節器１７１Ｌから出力される原音信号、ゲイン調節器１７２Ｌから出力される第１エコー信号，ゲイン調節器１７３Ｌから出力される第２エコー信号及びゲイン調節器１７４Ｌから出力される第３エコー信号がミキシングされ、出力端子１２Ｌへ出力される。出力端子１２Ｌから出力される音声信号は、出力端子１２Ｌに接続された左チャンネル用のスピーカから音として放音される。
【００３４】
ゲイン調節器１７１Ｒ、１７２Ｒ、１７３Ｒ及び１７４Ｒではそれぞれ、入力される音声信号が増幅されてミキシング回路１８Ｒに出力される。ミキシング回路１８Ｒでは、ゲイン調節器１７１Ｒから出力される原音信号、ゲイン調節器１７２Ｒから出力される第１エコー信号、ゲイン調節器１７３Ｒから出力される第２エコー信号及びゲイン調節器１７４Ｒから出力される第３エコー信号がミキシングされ、出力端子１２Ｒへ出力される。出力端子１２Ｌから出力される音声信号は、出力端子１２Ｒに接続された右チャンネル用のスピーカから音として出力される。
【００３５】
このとき、スピーカから放音される音のうち、第１エコー信号の音像は中央位置に定位される一方、第２エコー信号の音像は左チャンネル側に定位され、第３エコー信号の音像は右チャンネル側に定位される。このように、本実施形態では、遅延時間ｔ１だけ遅延させたエコー信号だけでなく、遅延時間ｔ２１，ｔ２２，…ｔ２ｎ，遅延時間ｔ３だけそれぞれ遅延させたエコー信号を出力することにより、エコー音の稠密感を得ることができる。
【００３６】
以上説明したように本実施形態によれば、マルチタップ遅延回路１４の出力（第２エコー信号）とその出力を遅延した出力（第３エコー信号）とを、適切な比率でＬとＲに振り分けて出力する。このように本実施形態では、モノラルエコーブロックと、ステレオエコーブロックの両方を同時に持ち、モノラルエコーを出力しながら、ステレオエコーの入力とする。このようにすることにより、モノラル定位とステレオ定位のエコー成分が同時に作られるので、トリプル定位のエコーが得られる。このように本実施形態によれば、比較的簡易な信号処理構成で、３ｃｈ定位を持つエコーを得ることができる。
【００３７】
また、本実施形態では、図２に示すように、遅延時間ｔ２ｍａｘと遅延時間ｔ３との和が遅延時間ｔ１よりも小さくなるように予め設定されているから、エコー装置１からは、第１エコー信号、第２エコー信号及び第３エコー信号がそれぞれ異なったタイミングで出力され、それらが重なって出力されることがない。これにより、エコー音の定位感を安定させることができる。また、第１エコー信号が出力される合間で第２エコー信号と第３エコー信号が出力されるから、出力されるエコー音の稠密度をほぼ一定に保つことができ、エコー音の稠密度にばらつきが生じることがない。
【００３８】
また、本実施形態では、図２に示すように、遅延時間ｔ３が差分時間Δｔよりも大きくなるように予め設定されている。そのため、エコー装置１からは、第２エコー信号と第３エコー信号とがそれぞれ異なったタイミングで出力され、それらが重なって出力されることがない。これにより、エコー音の定位感を安定させることができる。また、出力されるエコー音の稠密度をほぼ一定に保つことができ、エコー音の稠密度にばらつきが生じることがない。
【００３９】
＜Ｂ：第２実施形態＞
次に、本発明の第２の実施形態について図３を参照しつつ説明する。図３は、この発明の第２の実施形態であるエコー装置１Ｂの構成を示す図である。図３に示すエコー装置１Ｂが上述した第１の実施形態であるエコー装置１と異なる点は、遅延回路１６に代えて遅延回路１６Ｂを有する点と、第２エコー信号ではなく第１エコー信号が遅延回路１６Ｂに入力される点であり、他の構成については上述した第１実施形態で示したエコー装置１のそれと同様である。以下の説明においては、上述した第１の実施形態と同様の構成については適宜その説明を省略する。
【００４０】
図３において、モノラルエコー生成部１３から出力される第１エコー信号は、マルチタップ遅延回路１４に供給されるとともに、遅延回路１６Ｂに供給される。遅延回路１６Ｂは、モノラルエコー生成部１３から出力される第１エコー信号を、遅延時間ｔ１よりも短く、かつ、遅延時間ｔ２ｍａｘよりも長い第３の遅延時間ｔ４だけ遅延させて第３エコー信号として出力する。
【００４１】
本実施形態においても、上述した第１実施形態と同様に、エコー装置１Ｂからは、第１エコー信号、第２エコー信号及び第３エコー信号がそれぞれ異なったタイミングで出力されるから、これにより、エコー音の定位感を安定されることができる。また、第１エコー信号が出力される合間に第２エコー信号と第３エコー信号が出力されるから、出力されるエコー音の稠密度をほぼ一定に保つことができ、エコー音の稠密度にばらつきが生じることがない。
【００４２】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態では、エコー装置１又はエコー装置１Ｂは、第１エコー信号の音像を中央位置に定位させるとともに、第２エコー信号の音像を左チャンネル側に定位させ、第３エコー信号の音像を右チャンネル側に定位させるようにしたが、各エコー信号の定位位置はこれに限らず、他の位置関係であってもよい。具体的には、例えば、エコー装置１又はエコー装置１Ｂが、第２エコー信号の音像を右チャンネル側に定位させ、第３エコー信号の音像を左チャンネル側に定位させるようにしてもよい。要は、ゲイン調節器１７２Ｌ、１７２Ｒ、１７３Ｌ、１７３Ｒ、１７４Ｌ及び１７４Ｒのそれぞれが、第１エコー信号、第２エコー信号及び第３エコー信号のそれぞれの音像が異なる位置に定位するような増幅率で増幅するようにすればよい。
【００４３】
（２）上述の実施形態において、モノラルエコー生成部１３から出力される第１エコー信号と、遅延回路１６から出力される第３エコー信号とを、マルチタップ遅延回路１４の入力とするようにしてもよい。この場合のエコー装置１Ｃの構成の一例を図４に示す。図４において、遅延回路１６から出力される第３エコー信号が、マルチタップ遅延回路１４に入力される。マルチタップ遅延回路１４では、モノラルエコー生成部１３から出力される第１エコー信号と、遅延回路１６から出力される第３エコー信号とが、遅延時間ｔ２１，ｔ２２，…，ｔ２ｎだけ遅延されて出力される。
【００４４】
（３）上述の実施形態において、入力信号に従来から或るモノラルエコーをかけた出力（第１エコー信号）も適切な比率でＬとＲに振り分けて出力するようにしてもよい。すなわち、ゲイン調節器１７２Ｌとゲイン調節器１７２Ｒとが、それぞれ異なる増幅率で第１エコー信号を増幅して出力することによって、第１エコー信号の音像の定位を中央以外の位置とするようにしてもよい。
【００４５】
（４）上述の実施形態において、時間が遅いほうのエコー信号の出力レベルを低くするようにしてもよい。具体的には、図２に示すように、エコー装置が、第３エコー信号の出力レベルを第２エコー信号の出力レベルよりも低くなるようにしてもよい。
【００４６】
（５）上述の実施形態において、エコー音の定位位置を利用者が設定できるようにしてもよい。この場合の具体的な一例について図５を参照しつつ説明する。図５において、操作部２０は、利用者によって操作された内容に応じた信号を出力する。エコー装置１Ｄの利用者は、操作部２０を用いて、第２エコー信号、第３エコー信号の定位位置を設定する操作を行う。操作部２０は操作された内容に応じた信号を出力する。制御部２１は、操作部２０から出力される信号に応じて、第２エコー信号及び第３エコー信号の音像の定位位置が操作された内容に応じた位置になるように、ゲイン調節器１７３Ｌ、１７３Ｒ、１７４Ｌ、１７４Ｒの増幅率をそれぞれ設定する。この場合は、スピーカの配置や聴取者の嗜好に応じて、エコーの定位を適宜設定することができる。このように、スピーカの配置や好みで出力を適切な比率でＬとＲに振り分けることにより、聴取位置で効果的な定位感を得ることができる。
【００４７】
また、図５に示す例において、エコー音の定位内容を示す設定データをエコー装置１Ｄの所定のメモリに記憶させておく構成とし、制御部２１が、メモリから設定データを読み出し、読み出したデータに応じてエコー音の定位制御を行うようにしてもよい。
【００４８】
また、図５に示す例において、制御部２１が、第１エコー信号、第２エコー信号及び第３エコー信号の少なくともいずれかひとつの音像の定位位置が時間の経過に伴って変化するように、ゲイン調節器の増幅率を時間の経過に伴って変更するようにしてもよい。
【００４９】
また、制御部２１が、原音信号に対応する制御信号を取得し、取得した制御信号に応じて、遅延時間ｔ１、ｔ２１，ｔ２２，…，ｔ２ｎ、ｔ３の少なくともいずれかひとつを設定するようにしてもよい。この場合は、制御部２１は、例えば、操作部２０から出力される信号を制御信号として取得するようにしてもよく、また、例えば、原音信号から制御信号を抽出するようにしてもよい。
【００５０】
（６）上述の実施形態では、遅延回路１６が遅延させる遅延時間ｔ３は、差分時間Δｔよりも長い遅延時間としたが、これに代えて、遅延回路１６が遅延させる遅延時間ｔ３を、差分時間Δｔよりも短い時間としてもよい。このようにすることで、エコー音の定位感がなくなり、リバーブのような効果を付与することができる。
【００５１】
また、遅延時間ｔ３を差分時間Δｔよりも大きくするか小さくするかを、利用者が設定できるようにしてもよい。この場合は、利用者は、例えば、エコー音に定位感を持たせたい場合には遅延時間ｔ３を差分時間Δｔよりも大きくするように設定し、逆に、エコー音の定位感をなくしたい場合には遅延時間ｔ３を差分時間Δｔよりも小さくするように設定すればよい。この場合は、図５に示す例において、利用者は、操作部２０を用いて遅延時間ｔ３と差分時間Δｔとの大小関係を設定する操作を行い、操作部２０は操作された内容に応じた操作信号を出力する。制御部２１は、操作部２０から出力される信号に応じて、遅延時間ｔ３と差分時間Δｔとの大小関係が設定条件を満たすように、遅延時間ｔ２１，ｔ２２，…，ｔ２ｎ及び遅延時間ｔ３のうちの少なくともいずれか一つを設定する。このようにすることで、利用者の指向や再生される音声の種別に応じてエコー音の定位感を適宜調整することができる。
【００５２】
（７）上述の実施形態では、マルチタップ遅延回路１４が、第１エコー信号を遅延時間ｔ２１，ｔ２２，…，ｔ２ｎずつ遅延させて複数の第２エコー信号を出力した。これに代えて、図６に示すように、第３のエコー信号を生成する遅延回路を、入力される信号を複数の異なる遅延時間だけ遅延させてエコー信号を複数出力するマルチタップ遅延回路１６Ｅとしてもよい。この場合は、遅延回路１４Ｅが第１エコー信号を遅延時間ｔ２だけ遅延させて第２エコー信号を出力し、マルチタップ遅延回路１６Ｅが、第２エコー信号を遅延時間ｔ３１，ｔ３２，…，ｔ３ｎだけそれぞれ遅延させた複数の第３エコー信号を出力する。
また、モノラルエコー生成部１３をマルチタップ遅延回路としてもよい。要は、第１エコー信号を出力するモノラルエコー生成部、第２エコー信号を出力する遅延回路、及び第３エコー信号を出力する遅延回路のうちの少なくともいずれかひとつが、入力される信号を複数の異なる遅延時間だけ遅延させて出力するマルチタップ遅延回路として構成されていればよい。
【００５３】
（８）上述の実施形態では、Ｌ、Ｒの２チャンネルの場合について説明したが、チャンネルの数は２に限らず、これより多くてもよい。具体的には、例えば、３チャンネルに対応した３つの出力端子を備える装置であってもよい。この場合は、例えば、遅延回路をチャンネルの数に対応する数だけ設ける構成とし、複数のエコー信号を各チャンネルのそれぞれに対応する位置に定位させるように制御してもよい。
【図面の簡単な説明】
【００５４】
【図１】エコー装置の構成の一例を示す図である。
【図２】エコー信号の時間的な対応関係を説明するための図である。
【図３】エコー装置の構成の一例を示す図である。
【図４】エコー装置の構成の一例を示す図である。
【図５】エコー装置の構成の一例を示す図である。
【図６】エコー装置の構成の一例を示す図である。
【符号の説明】
【００５５】
１，１Ｂ，１Ｃ，１Ｄ…エコー装置、１１…入力端子、１２Ｌ，１２Ｒ…出力端子、１３…モノラルエコー生成部、１４…マルチタップ遅延回路、１５…ミキシング回路、１６…遅延回路、１７１Ｌ，１７１Ｒ，１７２Ｌ，１７２Ｒ，１７３Ｌ，１７３Ｒ，１７４Ｌ，１７４Ｒ…ゲイン調節器、１８Ｌ，１８Ｒ…ミキシング回路、２０…操作部、２１…制御部。
【図１】
2010028539.tif 000003
【図２】
2010028539.tif 000004
【図３】
2010028539.tif 000005
【図４】
2010028539.tif 000006
【図５】
2010028539.tif 000007
【図６】
2010028539.tif 000008